【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
被写体を撮像して映像信号を出力する撮像手段と、前記撮像手段から出力された映像信号に対するホワイトバランス補正の制御を行う制御手段と、使用者の操作状態に応じた操作信号を入力する入力手段とを有する撮像装置であって、
前記制御手段は、前記撮像手段によって撮像された白い被写体を用いてホワイトバランス補正を行うホワイトバランスセット補正モード、あらかじめ設定された複数のホワイトバランス補正値から選択されたホワイトバランス補正値を用いてホワイトバランス補正を行うホワイトバランスプリセット補正モード、及び色温度によるホワイトバランス補正を行う色温度によるホワイトバランス補正モードで制御可能であり、
さらに、前記制御手段は、前記ホワイトバランスセット補正モードでホワイトバランスセット中、あるいは前記ホワイトバランスプリセット補正モードでホワイトバランスプリセット中に、前記入力手段から入力される操作信号に基づいて、前記色温度によるホワイトバランス補正モードに移行させることを特徴とする撮像装置。
【請求項２】
被写体を撮像して映像信号を出力する撮像手段と、前記撮像手段から出力された映像信号に対するホワイトバランス補正の制御を行う制御手段と、使用者の操作状態に応じた操作信号を入力する入力手段とを有する撮像装置であって、
前記制御手段によって制御されるホワイトバランス補正のモードとして、色温度によるホワイトバランス補正モードと、前記色温度によるホワイトバランス補正モードとは異なる１つ以上の他のホワイトバランス補正モードとを有し、
前記制御手段は、前記入力手段から入力される操作信号に基づいて、前記他のホワイトバランス補正モードのホワイトバランス状態を初期値として、前記色温度によるホワイトバランス補正モードに移行させることを特徴とする撮像装置。
【請求項３】
前記入力手段は、使用者により操作ボタンまたはスイッチが操作されることに応じた操作信号を入力することを特徴とする請求項１または２に記載の撮像装置。
【請求項４】
前記色温度によるホワイトバランスモードは、あらかじめ設定されたホワイトバランス制御特性線に従って色温度を変化させるモードであることを特徴とする請求項１〜３の何れか１項に記載の撮像装置。
【請求項５】
前記制御手段は、前記色温度によるホワイトバランス補正モードへ移行すると、あらかじめ設定されたホワイトバランス制御特性線上の最も近い設定値に前記ホワイトバランスの補正値を移行させることを特徴とする請求項２に記載の撮像装置。
【請求項６】
前記１つ以上の他のホワイトバランス補正モードは、前記撮像手段によって撮像された白い被写体を用いてホワイトバランス補正を行うホワイトバランスセット補正モードと、あらかじめ設定された複数のホワイトバランス補正値から、前記入力手段から入力される操作信号に基づいて選択されたホワイトバランス補正値を用いてホワイトバランス補正を行うホワイトバランスプリセット補正モードとを含むことを特徴とする請求項２に記載の撮像装置。
【請求項７】
前記色温度によるホワイトバランス補正モードにおける色温度設定可能範囲を限定する色温度範囲限定手段を有することを特徴とする請求項１〜６の何れか１項に記載の撮像装置。
【請求項８】
前記色温度範囲限定手段は、前記入力手段から操作信号を入力して使用者が前記色温度設定可能範囲をあらかじめ設定可能であることを特徴とする請求項７に記載の撮像装置。
【請求項９】
前記色温度によるホワイトバランス補正モードにおける色温度選択のきざみを細かく設定する色温度選択きざみ設定手段を有することを特徴とする請求項１〜８の何れか１項に記載の撮像装置。
【請求項１０】
前記色温度選択きざみ設定手段は、前記入力手段から操作信号を入力して使用者が前記色温度選択きざみをあらかじめ細かく設定可能であることを特徴とする請求項９に記載の撮像装置。
【請求項１１】
前記色温度によるホワイトバランス補正モードにおいて、前記入力手段から入力された操作信号に基づいて色温度を変化させる時、前記初期値を示すマークを表示部に表示する表示手段を有することを特徴とする請求項２に記載の撮像装置。
【請求項１２】
前記表示手段は、前記色温度によるホワイトバランス補正モードにおいて、前記ホワイトバランスがシフト状態である場合に、前記マークの色または形状を変化させて前記表示部に表示することを特徴とする請求項１１に記載の撮像装置。
【請求項１３】
前記表示手段は、前記色温度によるホワイトバランス補正モードにおいて、色温度の表示に代えて前記ホワイトバランスのシフト量を前記表示部に表示することを特徴とする請求項１１に記載の撮像装置。
【請求項１４】
被写体を撮像して映像信号を出力する撮像工程と、前記撮像工程において出力された映像信号に対するホワイトバランス補正の制御を行う制御工程と、使用者の操作状態に応じた操作信号を入力する入力工程とを有する撮像方法であって、
前記制御工程においては、前記撮像工程において撮像された白い被写体を用いてホワイトバランス補正を行うホワイトバランスセット補正モード、あらかじめ設定された複数のホワイトバランス補正値から選択されたホワイトバランス補正値を用いてホワイトバランス補正を行うホワイトバランスプリセット補正モード、及び色温度によるホワイトバランス補正を行う色温度によるホワイトバランス補正モードで制御可能であり、
さらに、前記制御工程においては、前記ホワイトバランスセット補正モードでホワイトバランスセット中、あるいは前記ホワイトバランスプリセット補正モードでホワイトバランスプリセット中に、前記入力工程において入力される操作信号に基づいて、前記色温度によるホワイトバランス補正モードに移行させることを特徴とする撮像方法。
【請求項１５】
被写体を撮像して映像信号を出力する撮像工程と、前記撮像工程において出力された映像信号に対するホワイトバランス補正の制御を行う制御工程と、使用者の操作状態に応じた操作信号を入力する入力工程とを有する撮像方法であって、
前記制御工程において制御されるホワイトバランス補正のモードとして、色温度によるホワイトバランス補正モードと、前記色温度によるホワイトバランス補正モードとは異なる１つ以上の他のホワイトバランス補正モードとを有し、
前記制御工程においては、前記入力工程において入力される操作信号に基づいて、前記他のホワイトバランス補正モードのホワイトバランス状態を初期値として、前記色温度によるホワイトバランス補正モードに移行させることを特徴とする撮像方法。
【請求項１６】
被写体を撮像して映像信号を出力する撮像工程と、前記撮像工程において出力された映像信号に対するホワイトバランス補正の制御を行う制御工程と、使用者の操作状態に応じた操作信号を入力する入力工程とをコンピュータに実行させるプログラムであって、
前記制御工程においては、前記撮像工程において撮像された白い被写体を用いてホワイトバランス補正を行うホワイトバランスセット補正モード、あらかじめ設定された複数のホワイトバランス補正値から選択されたホワイトバランス補正値を用いてホワイトバランス補正を行うホワイトバランスプリセット補正モード、及び色温度によるホワイトバランス補正を行う色温度によるホワイトバランス補正モードで制御可能であり、
さらに、前記制御工程においては、前記ホワイトバランスセット補正モードでホワイトバランスセット中、あるいは前記ホワイトバランスプリセット補正モードでホワイトバランスプリセット中に、前記入力工程において入力される操作信号に基づいて、前記色温度によるホワイトバランス補正モードに移行させるようコンピュータに実行させることを特徴とするプログラム。
【請求項１７】
被写体を撮像して映像信号を出力する撮像工程と、前記撮像工程において出力された映像信号に対するホワイトバランス補正の制御を行う制御工程と、使用者の操作状態に応じた操作信号を入力する入力工程とをコンピュータに実行させるプログラムであって、
前記制御工程において制御されるホワイトバランス補正のモードとして、色温度によるホワイトバランス補正モードと、前記色温度によるホワイトバランス補正モードとは異なる１つ以上の他のホワイトバランス補正モードとを実現させ、
前記制御工程においては、前記入力工程において入力される操作信号に基づいて、前記他のホワイトバランス補正モードのホワイトバランス状態を初期値として、前記色温度によるホワイトバランス補正モードに移行させるようコンピュータに実行させることを特徴とするプログラム。
【請求項１８】
請求項１６または１７に記載のプログラムを記録したことを特徴とするコンピュータ読み取り可能な記録媒体。
【手続補正２】
【補正対象書類名】明細書
【補正対象項目名】００１０
【補正方法】変更
【補正の内容】
【００１０】
本発明の撮像装置は、被写体を撮像して映像信号を出力する撮像手段と、前記撮像手段から出力された映像信号に対するホワイトバランス補正の制御を行う制御手段と、使用者の操作状態に応じた操作信号を入力する入力手段とを有する撮像装置であって、前記制御手段は、前記撮像手段によって撮像された白い被写体を用いてホワイトバランス補正を行うホワイトバランスセット補正モード、あらかじめ設定された複数のホワイトバランス補正値から選択されたホワイトバランス補正値を用いてホワイトバランス補正を行うホワイトバランスプリセット補正モード、及び色温度によるホワイトバランス補正を行う色温度によるホワイトバランス補正モードで制御可能であり、さらに、前記制御手段は、前記ホワイトバランスセット補正モードでホワイトバランスセット中、あるいは前記ホワイトバランスプリセット補正モードでホワイトバランスプリセット中に、前記入力手段から入力される操作信号に基づいて、前記色温度によるホワイトバランス補正モードに移行させることを特徴とする。
また、本発明の撮像装置の他の特徴とするところは、被写体を撮像して映像信号を出力する撮像手段と、前記撮像手段から出力された映像信号に対するホワイトバランス補正の制御を行う制御手段と、使用者の操作状態に応じた操作信号を入力する入力手段とを有する撮像装置であって、前記制御手段によって制御されるホワイトバランス補正のモードとして、色温度によるホワイトバランス補正モードと、前記色温度によるホワイトバランス補正モードとは異なる１つ以上の他のホワイトバランス補正モードとを有し、前記制御手段は、前記入力手段から入力される操作信号に基づいて、前記他のホワイトバランス補正モードのホワイトバランス状態を初期値として、前記色温度によるホワイトバランス補正モードに移行させることを特徴とする。
【手続補正３】
【補正対象書類名】明細書
【補正対象項目名】００１１
【補正方法】変更
【補正の内容】
【００１１】
本発明の撮像方法は、被写体を撮像して映像信号を出力する撮像工程と、前記撮像工程において出力された映像信号に対するホワイトバランス補正の制御を行う制御工程と、使用者の操作状態に応じた操作信号を入力する入力工程とを有する撮像方法であって、前記制御工程においては、前記撮像工程において撮像された白い被写体を用いてホワイトバランス補正を行うホワイトバランスセット補正モード、あらかじめ設定された複数のホワイトバランス補正値から選択されたホワイトバランス補正値を用いてホワイトバランス補正を行うホワイトバランスプリセット補正モード、及び色温度によるホワイトバランス補正を行う色温度によるホワイトバランス補正モードで制御可能であり、さらに、前記制御工程においては、前記ホワイトバランスセット補正モードでホワイトバランスセット中、あるいは前記ホワイトバランスプリセット補正モードでホワイトバランスプリセット中に、前記入力工程において入力される操作信号に基づいて、前記色温度によるホワイトバランス補正モードに移行させることを特徴とする。
また、本発明の撮像方法の他の特徴とするところは、被写体を撮像して映像信号を出力する撮像工程と、前記撮像工程において出力された映像信号に対するホワイトバランス補正の制御を行う制御工程と、使用者の操作状態に応じた操作信号を入力する入力工程とを有する撮像方法であって、前記制御工程において制御されるホワイトバランス補正のモードとして、色温度によるホワイトバランス補正モードと、前記色温度によるホワイトバランス補正モードとは異なる１つ以上の他のホワイトバランス補正モードとを有し、前記制御工程においては、前記入力工程において入力される操作信号に基づいて、前記他のホワイトバランス補正モードのホワイトバランス状態を初期値として、前記色温度によるホワイトバランス補正モードに移行させることを特徴とする。
【手続補正４】
【補正対象書類名】明細書
【補正対象項目名】００１２
【補正方法】変更
【補正の内容】
【００１２】
本発明のプログラムは、被写体を撮像して映像信号を出力する撮像工程と、前記撮像工程において出力された映像信号に対するホワイトバランス補正の制御を行う制御工程と、使用者の操作状態に応じた操作信号を入力する入力工程とをコンピュータに実行させるプログラムであって、前記制御工程においては、前記撮像工程において撮像された白い被写体を用いてホワイトバランス補正を行うホワイトバランスセット補正モード、あらかじめ設定された複数のホワイトバランス補正値から選択されたホワイトバランス補正値を用いてホワイトバランス補正を行うホワイトバランスプリセット補正モード、及び色温度によるホワイトバランス補正を行う色温度によるホワイトバランス補正モードで制御可能であり、さらに、前記制御工程においては、前記ホワイトバランスセット補正モードでホワイトバランスセット中、あるいは前記ホワイトバランスプリセット補正モードでホワイトバランスプリセット中に、前記入力工程において入力される操作信号に基づいて、前記色温度によるホワイトバランス補正モードに移行させるようコンピュータに実行させることを特徴とする。
また、本発明のプログラムの他の特徴とするところは、被写体を撮像して映像信号を出力する撮像工程と、前記撮像工程において出力された映像信号に対するホワイトバランス補正の制御を行う制御工程と、使用者の操作状態に応じた操作信号を入力する入力工程とをコンピュータに実行させるプログラムであって、前記制御工程において制御されるホワイトバランス補正のモードとして、色温度によるホワイトバランス補正モードと、前記色温度によるホワイトバランス補正モードとは異なる１つ以上の他のホワイトバランス補正モードとを実現させ、前記制御工程においては、前記入力工程において入力される操作信号に基づいて、前記他のホワイトバランス補正モードのホワイトバランス状態を初期値として、前記色温度によるホワイトバランス補正モードに移行させるようコンピュータに実行させることを特徴とする。